(57)【特許請求の範囲】
【請求項１】
互いに平行な前桁と後桁及び左右の側桁とで構成される矩形枠状のフレームを、垂直に起立する複数の支柱によって水平に支持し、前記フレームに沿って張設された撓曲可能なキャンパスを左右の側桁の長手方向に沿ってスライドさせて開閉するオーニング装置において、
前記左右の側桁内に巻き掛け伝動機構をそれぞれ設け、
前記複数の支柱の１つに設けられたハンドルの回転を前記巻き掛け伝動機構の一方に伝達する伝動機構を前記支柱内に設けるとともに、該一方の巻き掛け伝動機構の回転を他方の巻き掛け伝動機構に伝達するシャフトを前記後桁内に設け、
前記伝動機構と前記巻き掛け機構の一方とをギヤによって着脱可能に連結するとともに、同巻き掛け伝動機構と前記シャフトとをカップリングによって着脱可能に連結し、
前記伝動機構を組み込んだ前記支柱と、前記巻き掛け伝動機構を組み込んだ前記左右の側桁と、前記シャフトと前記カップリングを組み込んだ前記後桁を組立可能なユニットとして構成し、
前記ハンドルの回転操作によって左右の前記巻き掛け伝動機構を同期して駆動し、両巻き掛け伝動機構によって前記キャンパスを左右の側桁に沿って平行にスライドさせるよう構成したことを特徴とするオーニング装置。
【請求項２】
前記巻き掛け伝動機構を駆動プーリと従動プーリ間に無端状のロープを巻装して構成するとともに、前記ロープに前記キャンパスの前端部を連結したことを特徴とする請求項１記載のオーニング装置。
【請求項３】
前記駆動プーリのロープ巻き掛け面に複数の突起を突設するとともに、該駆動プーリに巻き掛けられたロープを駆動プーリ側に押圧するバックアップガイドを設けたことを特徴とする請求項２記載のオーニング装置。
【請求項４】
前記左右の側桁間に架設された複数の吊パイプによって前記キャンパスを支持するとともに、各吊パイプの長手方向両端部をローラを介して左右の側桁の底面内部に形成された各ガイドレールに移動可能に支持したことを特徴とする請求項１〜３の何れかに記載のオーニング装置。
【請求項５】
前記キャンパスを前記複数の吊パイプ間に弛みをもって支持するとともに、隣接する吊パイプ同士を前記キャンパスの吊パイプ間での弛み長さよりも短い紐状部材で連結したことを特徴とする請求項１〜４の何れかに記載のオーニング装置。
【請求項６】
前記キャンパスの下縁をスライド方向に対して直角方向に水平から所定角度傾斜させたことを特徴とする請求項１〜５の何れかに記載のオーニング装置。
【発明の詳細な説明】
【技術分野】
【０００１】
本発明は、撓曲可能なキャンパスを左右の側桁の長手方向に沿ってスライドさせて開閉するオーニング装置に関するものである。
【背景技術】
【０００２】
憩いの空間を提供するために一般家庭の庭等に設置されるガーデンパーゴラ等のオーニング装置は、日除けや雨除け、或いは有害な紫外線をカットする機能を有している。
【０００３】
斯かるオーニング装置としては、今まで種々のものが提案され、既に実用に供されている。例えば、特許文献１には、テントフレーム間にテント布（キャンパス）を水平に張設して成る水平式テントにおいて、テント布に所定間隔をおいて芯材を互いに相反する方向へ向けて斜めに取り付け、相隣り合う芯材によって区画されるテント布の各区画部位を互い違いに正逆の略台形とする提案がなされている。
【０００４】
又、特許文献２には、複数に折り畳まれたテントの各谷部を山形にすることによって高い排水機能を有する移動式テント装置が提案されている。
【特許文献１】特許第３３３７０６９号公報
【特許文献２】特開２００４−３０８３３３号公報
【発明の開示】
【発明が解決しようとする課題】
【０００５】
しかしながら、従来のオーニング装置においては、テント（キャンパス）をスライドさせて開閉する際にテントはその幅方向一端のみが引かれる構成が採用されていたため、テントはその左右が平行を成してスムーズにスライドすることができないという問題があった。
又、従来のオーニング装置にあっては、テントの開閉駆動機構が外部に露出していたため、外観性と安全性に欠けるという問題もあった。
本発明は上記問題に鑑みてなされたもので、その目的とする処は、キャンパスをスムーズにスライドさせて操作性良く開閉することができるとともに、ハンドル以外の機構部品を内蔵することによって外観性と安全性を高めることができるオーニング装置を提供することにある。
【課題を解決するための手段】
【０００６】
上記目的を達成するため、請求項１記載の発明は、互いに平行な前桁と後桁及び左右の側桁とで構成される矩形枠状のフレームを、垂直に起立する複数の支柱によって水平に支持し、前記フレームに沿って張設された撓曲可能なキャンパスを左右の側桁の長手方向に沿ってスライドさせて開閉するオーニング装置において、
前記左右の側桁内に巻き掛け伝動機構をそれぞれ設け、
前記複数の支柱の１つに設けられたハンドルの回転を前記巻き掛け伝動機構の一方に伝達する伝動機構を前記支柱内に設けるとともに、該一方の巻き掛け伝動機構の回転を他方の巻き掛け伝動機構に伝達するシャフトを前記後桁内に設け、
前記伝動機構と前記巻き掛け機構の一方とをギヤによって着脱可能に連結するとともに、同巻き掛け伝動機構と前記シャフトとをカップリングによって着脱可能に連結し、
前記伝動機構を組み込んだ前記支柱と、前記巻き掛け伝動機構を組み込んだ前記左右の側桁と、前記シャフトと前記カップリングを組み込んだ前記後桁を組立可能なユニットとして構成し、
前記ハンドルの回転操作によって左右の前記巻き掛け伝動機構を同期して駆動し、両巻き掛け伝動機構によって前記キャンパスを左右の側桁に沿って平行にスライドさせるよう構成したことを特徴とする。
【０００９】
請求項２記載の発明は、請求項１記載の発明において、前記巻き掛け伝動機構を駆動プーリと従動プーリ間に無端状のロープを巻装して構成するとともに、前記ロープに前記キャンパスの前端部を連結したことを特徴とする。
【００１０】
請求項３記載の発明は、請求項２記載の発明において、前記駆動プーリのロープ巻き掛け面に複数の突起を突設するとともに、該駆動プーリに巻き掛けられたロープを駆動プーリ側に押圧するバックアップガイドを設けたことを特徴とする。
【００１１】
請求項４記載の発明は、請求項１〜３の何れかに記載の発明において、前記左右の側桁間に架設された複数の吊パイプによって前記キャンパスを支持するとともに、各吊パイプの長手方向両端部をローラを介して左右の側桁の底面内部に形成された各ガイドレールに移動可能に支持したことを特徴とする。
【００１２】
請求項５記載の発明は、請求項１〜４の何れかに記載の発明において、前記キャンパスを前記複数の吊パイプ間に弛みをもって支持するとともに、隣接する吊パイプ同士を前記キャンパスの吊パイプ間での弛み長さよりも短い紐状部材で連結したことを特徴とする。
【００１３】
請求項６記載の発明は、請求項１〜５の何れかに記載の発明において、前記キャンパスの下縁をスライド方向に対して直角方向に水平から所定角度傾斜させたことを特徴とする。
【発明の効果】
【００１４】
請求項１記載の発明によれば、ハンドルの回転操作によって左右の巻き掛け伝動機構を同期して駆動し、両巻き掛け機構によってキャンパスを左右の側桁に沿って平行にスライドさせるよう構成したため、キャンパスをスムーズにスライドさせて操作性良く開閉することができる。
【００１５】
又、ハンドル以外の巻き掛け伝動機構、伝動機構、シャフト等はフレームや支柱に内蔵されて外部に露出しないため、当該オーニング装置の外観性と安全性が高められる。
【００１６】
更に、伝動機構と一方の巻き掛け伝動機構とをギヤによって着脱可能に連結するとともに、両巻き掛け伝動機構とシャフトとをカップリングによって着脱可能に連結したため、当該オーニング装置の各構成部品を工場でのユニット組立式とし、現場では各ユニットを短時間で簡単に組み立てることができ、現場での施工性が高められる。
【００１７】
請求項２記載の発明によれば、巻き掛け伝動機構を駆動プーリと従動プーリ間に無端状のロープを巻装して構成するとともに、ロープにキャンパスの前端部を連結したため、左右一対の巻き掛け伝動機構を同期して駆動し、ロープによってキャンパスの前端部の左右を同時に引くことによってキャンパスを左右の側桁に沿って平行にスライドして確実に開閉される。
【００１８】
請求項３記載の発明によれば、巻き掛け伝動機構を駆動プーリのロープ巻き掛け面に複数の突起を突設するとともに、該駆動プーリに巻き掛けられたロープを駆動プーリ側に押圧するバックアップガイドを設けたため、ロープと駆動プーリとの間に大きな摩擦力が作用し、この大きな摩擦力によって回転動力が駆動プーリからロープへと確実に伝達される。このため、ロープは、滑ることなく回転してキャンパスを左右の側桁に沿って確実にスライドさせることができる。
【００１９】
請求項４記載の発明によれば、ローラは転動するガイドレールを側桁の底面内部に形成したため、ガイドレールが側桁によって覆われて外部に露出することがなく、該ガイドレールが雨や埃に晒されることがない。このため、ローラがガイドレール上を安定的に転動し、キャンパスが左右の側桁に沿ってスムーズにスライドして開閉される。
【００２０】
請求項５記載の発明によれば、キャンパスを複数の吊パイプ間に弛みをもって支持するとともに、隣接する吊パイプ同士をキャンパスの吊パイプ間での弛み長さよりも短い紐状部材で連結したため、紐状部材によって吊パイプ同士が引っ張られて移動し、キャンパスに無理な力が掛からないために該キャンパスの耐久性が高められるとともに、全開時にキャンパスが均一な形状を保つことができる。
【００２１】
請求項６記載の発明によれば、キャンパスの下縁をスライド方向に対して直角方向に水平から所定角度傾斜させたため、雨天時にキャンパス上に降った雨が該キャンパスの傾斜に沿って流れ落ちてキャンパス上に溜まることがなく、当該オーニング装置に高い排水性が確保される。
【発明を実施するための最良の形態】
【００２２】
以下に本発明の実施の形態を添付図面に基づいて説明する。
【００２３】
図１は本発明に係るオーニング装置の斜視図、図２は同オーニング装置の右側面図、図３は同オーニング装置の平面図、図４は同オーニング装置の正面図、図５は同オーニング装置の開閉駆動機構の構成を模式的に示す斜視図である。
【００２４】
本発明に係るオーニング装置１は、図１〜図４に示すように、互いに平行な前桁２と後桁３及び左右の側桁４，５とで構成される矩形枠状のフレーム６を、垂直に起立する複数の支柱７によって水平に支持し、前記フレーム６に沿って張設された撓曲可能なキャンパス８を左右の側桁４，５の長手方向（図１〜図３の左右方向）に沿ってスライドさせて開閉する装置であって、例えば一般家庭の庭等に設置されるガーデンパーゴラとしての用途に供させる。尚、オーニング装置１においては、図１〜図３の右方を前側とし、左右は後方から前方に向かって見たときの左右とする。
【００２５】
ここで、前記フレーム６を構成する前桁２と後桁３は、アルミ製の角パイプで構成され、左右の側桁４，５は、下面の一部が開口するアルミ製の型材によって構成されており、左右の側桁４，５間には複数（図示例では、７本）のアルミ製の吊パイプ９がその両端をスライド可能に支持されて架設されている。そして、これらの吊パイプ９には前記キャンパス８が支持されているが、このキャンパス８は、アクリル繊維を織り込んだ布の表面に防水処理を施したものであって、隣接する吊パイプ９間に所定の弛みをもって支持され、図１及び図２に示すように、隣接する吊パイプ９間では側面視Ｕ字状を成している。又、図２及び図３に示すように、隣接する吊パイプ９同士は、その幅方向両側がキャンパス８の吊パイプ９間での弛み長さよりも短い紐状部材１０によって互いに連結されている。
【００２６】
更に、図４に示すように、キャンパス８はその下縁（Ｕ字状に弛んだ部分の下縁）がスライド方向に対して直角方向（図４の左右方向）において右側（図４においては左側）に向かって下がるよう水平から所定角度θ（本実施の形態では、４°）だけ傾斜している。
【００２７】
ところで、図１〜図３はキャンパス８が全開された状態を示しているが、キャンパス８は、後述のように最前端の吊パイプ９が左右の側桁４，５に沿って後方（図２及び図３の左方）に引かれることによって全閉され、このとき、キャンパス８は後端部に寄せられる。このとき、この寄せられたキャンパス８の上方は図３に示す雨カバー１１によって覆われる。
【００２８】
又、前記支柱７は、アルミ製の角パイプによって構成され、これらは矩形枠状のフレーム６の四隅を支持しており、その下端部は地中に埋設されている。そして、これら４本の支柱７のうちの１本の中間高さ位置の内側にはハンドル１２が回転可能に設けられている。
【００２９】
ここで、キャンパス８を開閉操作するための開閉駆動機構の全体構成を図５に模式的に示すが、この開閉駆動機構は、前記ハンドル１２の回転操作力を、支柱７に内蔵されたチェーン伝動機構Ｃ及びギヤ伝動機構Ｇを経て左側の側桁４に内蔵されたロープ伝動機構Ｒ１に伝達すると同時に、後桁３に内蔵されたカップリング１３及びカップリングシャフト１４を経て右側の側桁５に内蔵されたロープ伝動機構Ｒ２に伝達することによってキャンパス８の前端左右を均等に引っ張って該キャンパス８を左右の側桁４，５の長手方向に沿ってスライドさせるものである。ここで、キャンパス８の前端縁を支持する最前端の吊パイプ９の幅方向両端は、左右のロープ伝動機構Ｒ１，Ｒ２の駆動プーリ１５と従動プーリ１６間に巻き掛けられたロープ１７に連結されている。
【００３０】
次に、上記開閉駆動機構の構成の詳細を図６〜図１１に基づいて説明する。
【００３１】
図６はチェーン伝動機構部分の正断面図、図７は図６のＡ−Ａ線断面図、図８は左右のロープ伝動機構とその連結構造を示す正断面図、図９は一方（左側）のロープ伝動機構部分の側断面図、図１０は図９のＢ−Ｂ線断面図、図１１は図９のＣ−Ｃ線断面図である。
【００３２】
図６及び図７に示すように、チェーン伝動機構Ｃは、ハンドル１２が設けられた支柱７に内蔵されており、支柱７内に取り付けられたシャフトホルダ１８とサポートステー１９にはハンドルシャフト２０が回転可能に支持され、該ハンドルシャフト２０の支柱７外へ突出する端部にはハンドル１２が取り付けられている。又、ハンドルシャフト２０の支柱７内に臨む中間部にはスプロケット２１が結着されている。
【００３３】
又、支柱７内の前記スプロケット２１の上方には、スプロケットシャフト２２がサポートステー２３に回転可能に支持されて配置されるとともに、ギヤシャフト２４がギヤプレート２５とサポートステー２３に回転可能に支持されて配置されており、スプロケットシャフト２２にはテンション調整用のスプロケット２７が結着され、ギヤシャフト２４にはスプロケット２８とギヤ２９が結着されている。そして、スプロケット２１，２７，２８には無端状のチェーン３０が巻き掛けられており、このチェーン３０のテンションはスプロケット２７によって調整される。即ち、図７に示すように、前記サポートステー２３には横方向に長い長孔２３ａが形成されており、この長孔２３ａに挿通するスプロケットシャフト２２とこれに結着されたスプロケット２７を長孔２３ａに沿って横方向にスライドさせることによってチェーン３０のテンションを調整することができる。尚、テンション調整後はナット３１を締め付けてスプロケットシャフト２２とスプロケット２７の位置が固定される。
【００３４】
他方、図８に示すように、左右の側桁４，５には前記ロープ伝動機構Ｒ１，Ｒ２がそれぞれ内蔵されており、各ロープ伝動機構Ｒ１，Ｒ２には、ギヤボックス３２に回転可能に支承されたギヤシャフト３３が水平に配置されており、左側のギヤシャフト３３にはギヤ３４が結着され、このギヤ３４は前記ギヤ２９に噛合している。又、両ギヤシャフト３３の外端部には前記駆動プーリ１５がそれぞれ結着されており、両ギヤシャフト３３の内端部は側桁４，５の側壁を貫通して後桁３内に臨んでおり、これらの内端部は、後桁３内に回転可能に配された前記カップリングシャフト１４の長手方向端部にカップリング１３を介して連結されている。従って、左右のロープ伝動機構Ｒ１，Ｒ２同士は、カップリング１３とカップリングシャフト１４を介して互いに連結されている。
【００３５】
而して、本実施の形態では、支柱７に内蔵されたチェーン伝動機構Ｃと左側の側桁４に内蔵されたロープ伝動機構Ｒ１とはギヤ２９，３４によって着脱可能に連結され、左右の側桁４，５にそれぞれ内蔵されたロープ伝動機構Ｒ１，Ｒ２とカップリングシャフト１４とはカップリング１３によって着脱可能に連結されている。
【００３６】
次に、左側のロープ伝動機構Ｒ１の構成を図９〜図１１に基づいて説明する。尚、右側のロープ伝動機構Ｒ２の基本構成は左側のロープ伝動機構Ｒ１のそれと同じであるため、これについての図示及び説明は省略する。
【００３７】
図９に示すように、側桁４内の後方に回転可能に配された前記駆動プーリ１５と側桁４内の前端部に回転可能に配された前記従動プーリ１６にはロープ１７が巻き掛けられており、このロープ１７の端部同士は、図１１に示すように、上下一対のガイドレール４ａに沿って前後方向（図１１の紙面垂直方向）に転動する前後一対のローラ３５を連結するスライドジョイント３６にジョイントピン３７によって連結されて無端状を成している。
【００３８】
ここで、上下一対のガイドレール４ａは、図１１に示すように、側桁４の底面内部に前後方向（図１１の紙面垂直方向）に沿って一体に形成されており、ロープ１７の端部同士を連結する前記スライドジョイント３６をガイドレール４ａに沿ってスライド可能に支持するローラ３５には最前端の吊パイプ９が吊金具３８によって支持されている。従って、最前端の吊パイプ９によって前端の左右が支持されたキャンパス８は、後述のように左右のロープ伝動機構Ｒ１，Ｒ２が同期して駆動され、最前端の吊パイプ９がロープ１７によって前後何れかの方向に引っ張られて左右の側桁４，５の長手方向に沿ってスライドすることによって、その前端が吊パイプ９と共にスライドして開閉される。尚、図示しないが、最前端以外の吊パイプ９もその左右端がローラ３５を介して左右の側桁４，５の長手方向に沿って前後にスライド可能に支持されている。又、図８に示すように、右側の側桁５の底面内部にも上下一対のガイドレール５ａが前後方向（図８の紙面垂直方向）に沿って一体に形成されており、このガイドレール５ａに沿って右側のローラ３５も転動しながら最前端の吊パイプ９及びキャンパス８と共に前後方向に移動する。
【００３９】
ところで、図９に示すように、駆動プーリ１５のロープ巻き掛け面には複数の突起１５ａが全周に亘って等角度ピッチで突設されている。又、駆動プーリ１５の近傍には、該駆動プーリ１５に巻き掛けられたロープ１７を駆動プーリ１５側に押圧するバックアップガイド３９が前後方向に移動可能に設けられており、このバックアップガイド３９の駆動プーリ１５側の面には、駆動プーリ１５の外周の半分を覆う半円溝３９ａが形成され、この半円溝３９ａがロープ１７に当接して該ロープ１７を駆動プーリ１５側に押圧する。
【００４０】
ここで、バックアップガイド３９は、２本のボルト４０を緩めてこれを前後に移動させることによって押圧力を調整することができ、押圧力が調整されるとボルト４０が締め付けられて該バックアップガイド３９の位置が固定される。
【００４１】
他方、前記従動プーリ１６は、テンションスライダ４１と共に側桁４内を前後に移動可能に支持されており、テンションスライダ４１には、その後方に固定されたテンションプレート４２に挿通する調整ボルト４３が螺合している。従って、調整ボルト４３を回してテンションスライダ４１と従動プーリ１６を側桁４内で前後に移動させることによって、従動プーリ１６と駆動プーリ１５に巻き掛けられたロープ１７のテンションを調整することができる。
【００４２】
次に、以上にように構成されたオーニング装置１におけるキャンパス８の開閉動作について説明する。
【００４３】
図１〜図３に示すように全開状態にあるキャンパス８を閉じるには、ハンドル１２を回転操作する。すると、ハンドル１２の回転は、ハンドルシャフト２０からスプロケット２１、チェーン３０及びスプロケット２８を経てギヤシャフト２４に伝達される。そして、ギヤシャフト２４の回転は、ギヤ２９，３４を経て左側のロープ伝動機構Ｒ１に伝達されるとともに、カップリング１３とカップリングシャフト１４を経て右側のロープ伝動機構Ｒ２に伝達される。従って、ユーザーは、ハンドル１２を回転操作することによって左右のロープ伝動機構Ｒ１，Ｒ２を同期して同時に駆動することができる。
【００４４】
即ち、各ロープ伝動機構Ｒ１，Ｒ２においては、駆動プーリ１５が回転駆動されると、該駆動プーリ１５に巻き掛けられたロープ１７が従動プーリ１６との間で回転し、最前端の吊パイプ９を側桁４，５に沿って後方へとスライドさせる。すると、キャンパス８は、前端側から吊パイプ９と共に側桁４，５に沿って後方へとスライドするため、折り畳まれながら後方端へと寄せられて閉じられる。このとき、左右のロープ伝動機構Ｒ１，Ｒ２は同期して駆動されるため、キャンパス８の前端部の左右が均等な力で引っ張られて左右の側桁４，５に沿って平行にスライドすることができ、該キャンパス８をスムーズにスライドさせてこれを閉じることができる。
【００４５】
又、本実施の形態では、各ロープ伝動機構Ｒ１，Ｒ２の駆動プーリ１５のロープ巻き掛け面に複数の突起１５ａを突設するとともに、該駆動プーリ１５に巻き掛けられたロープ１７を駆動プーリ１５側に押圧するバックアップガイド３９を設けたため、ロープ１７と駆動プーリ１５との間に大きな摩擦力が作用し、この大きな摩擦力によって回転動力が駆動プーリ１５からロープ１７へと確実に伝達される。このため、ロープ１７は、駆動プーリ１５との間で滑ることなく回転してキャンパス８を左右の側桁４，５に沿って確実にスライドさせることができる。
【００４６】
次に、閉じたキャンパス８を開けるには、ハンドル１２を逆回転させれば良い。すると、ハンドル１２の回転は、前記と同様の経路を経て左右のロープ伝動機構Ｒ１，Ｒ２に伝達されるが、各ロープ伝動機構Ｒ１，Ｒ２においてロープ１７は逆方向に回転するため、最前端の吊パイプ９が側桁４，５に沿って前方へとスライドする。
【００４７】
上述のように最前端の吊パイプ９が側桁４，５に沿って前方へとスライドすると、キャンパス８は、最前端の吊パイプ９によって引っ張られながら左右の側桁４，５に沿って前端側から順次前方へとスライドし、図１〜図３に示すように全開される。このとき、キャンパス８を複数の吊パイプ９間に弛みをもって支持するとともに、隣接する吊パイプ９同士をキャンパス８の吊パイプ９間での弛み長さよりも短い紐状部材１０で連結したため、紐状部材１０によって吊パイプ９同士が引っ張られて移動し、キャンパス８に無理な力が掛からないために該キャンパス８の耐久性が高められるとともに、全開時にキャンパス８を均一な形状を保つことができる。
【００４８】
又、キャンパス８を開く場合も、左右のロープ伝動機構Ｒ１，Ｒ２は同期して駆動されるため、キャンパス８の前端部の左右が均等な力で引っ張られて左右の側桁４，５に沿って平行にスライドすることができ、該キャンパス８をスムーズにスライドさせてこれを開くことができる。
【００４９】
更に、キャンパス８の下縁（Ｕ字状に弛んだ部分の下縁）はスライド方向に対して直角方向（左右方向）において右側に向かって下がるよう水平から所定角度θ（本実施の形態では、４°）だけ傾斜しているため（図４参照）、雨天時にキャンパス８上に降った雨が該キャンパス８の下縁の傾斜に沿って流れ落ちてキャンパス８上に溜まることがなく、当該オーニング装置１に高い排水性が確保される。
【００５０】
以上において、本発明に係るオーニング装置１においては、ハンドル１２以外のチェーン伝動機構Ｃ、ギヤ伝動機構Ｇ、左右のロープ伝動機構Ｒ１，Ｒ２、カップリング１３、カップリングシャフト１４等はフレーム６や支柱７に内蔵されて外部に露出しないため、当該オーニング装置１の外観性と安全性が高められる。
【００５１】
又、本発明に係るオーニング装置１では、チェーン伝動機構Ｃと一方のロープ伝動機構Ｒ１とをギヤ２９，３４によって着脱可能に連結するとともに、両ロープ伝動機構Ｒ１，Ｒ２とカップリングシャフト１４とをカップリング１３によって着脱可能に連結したため、当該オーニング装置１の各構成部品を工場でのユニット組立式とし、現場では各ユニットを短時間で簡単に組み立てることができ、現場での施工性が高められる。具体的には、チェーン伝動機構Ｃを組み込んだ支柱７、ロープ伝動機構Ｒ１，Ｒ２を組み込んだ側桁４，５、カップリング１３とカップリングシャフト１４を組み込んだ後桁３をユニットとして構成して施工現場に搬入し、ギヤ２９，３４同士を連結するとともに、カップリング１３を連結することによって各ユニット同士を容易且つ短時間に組み立てることができるため、現場での施工性が高められる。
【００５２】
更に、本発明に係るオーニング装置１においては、ローラ３５が転動するガイドレール４ａ，５ａを側桁４，５の底面内部に形成したため、これらのガイドレール４ａ，５ａが側桁４，５によって覆われて外部に露出することがなく、該ガイドレール４ａ，５ａが雨や埃に晒されることがない。このため、ローラ３５がガイドレール４ａ，５ａ上を安定的に転動し、キャンパス８が左右の側桁４，５に沿ってスムーズにスライドして開閉される。
【００５３】
尚、本発明に係るオーニング装置１は、ガーデンパーゴラ以外に、店舗用テラス、カーポート等の他の任意の用途に供せられるものである。又、本実施の形態では、キャンパス８を側桁４，５に沿ってスライドさせる巻き掛け伝動機構としてロープ伝動機構を採用したが、ロープ伝動機構、チェーン伝動機構、ワイヤー伝動機構等の他の任意の巻き掛け伝動機構を採用することができる。
【図面の簡単な説明】
【００５４】
【図１】本発明に係るオーニング装置の斜視図である。
【図２】本発明に係るオーニング装置の右側面図である。
【図３】本発明に係るオーニング装置の平面図である。
【図４】本発明に係るオーニング装置の正面図である。
【図５】本発明に係るオーニング装置の開閉駆動機構の構成を模式的に示す斜視図である。
【図６】本発明に係るオーニング装置のチェーン伝動機構部分の正断面図である。
【図７】図６のＡ−Ａ線断面図である。
【図８】本発明に係るオーニング装置の左右のロープ伝動機構とその連結構造を示す正断面図である。
【図９】本発明に係るオーニング装置の一方（左側）のロープ伝動機構部分の側断面図である。
【図１０】図９のＢ−Ｂ線断面図である。
【図１１】図９のＣ−Ｃ線断面図である。
【符号の説明】
【００５５】
１          オーニング装置
２          前桁
３          後桁
４，５      側桁
４ａ，５ａ  ガイドレール
６          フレーム
７          支柱
８          キャンパス
９          吊パイプ
１０        紐状部材
１１        雨カバー
１２        ハンドル
１３        カップリング
１４        カップリングシャフト（シャフト）
１５        駆動プーリ
１５ａ      駆動プーリの突起
１６        従動プーリ
１７        ロープ
１８        シャフトホルダ
１９        サポートステー
２０        ハンドルシャフト
２１        スプロケット
２２        スプロケットシャフト
２３        スポートステー
２３ａ      スポートステーの長孔
２４        ギヤシャフト
２５        ギヤプレート
２７，２８  スプロケット
２９        ギヤ
３０        チェーン
３１        ナット
３２        ギヤボックス
３３        ギヤシャフト
３４        ギヤ
３５        ローラ
３６        スライドジョイント
３７        ジョイントピン
３８        吊金具
３９        バックアップガイド
３９ａ      バックアップガイドの半円溝
４０        ボルト
４１        テンションスライダ
４２        テンションプレート
４３        調整ボルト
Ｃ          チェーン伝動機構（伝動機構）
Ｇ          ギヤ伝動機構
Ｒ１，Ｒ２  ロープ伝動機構（巻き掛け伝動機構）
【図１】
0005500613.tif 000002
【図２】
0005500613.tif 000003
【図３】
0005500613.tif 000004
【図４】
0005500613.tif 000005
【図５】
0005500613.tif 000006
【図６】
0005500613.tif 000007
【図７】
0005500613.tif 000008
【図８】
0005500613.tif 000009
【図９】
0005500613.tif 000010
【図１０】
0005500613.tif 000011
【図１１】
0005500613.tif 000012